(57)【要約】      （修正有）【課題】距離目盛表示の表示範囲を容易に設定することが可能となり、マニュアルフォーカスの操作性が向上する。【解決手段】撮影光学系３と、フォーカスレンズ１６と、レンズ位置検出手段１７と、ピント面距離算出手段２３ａと、レンズ操作手段１８と、レンズ操作量検出手段２２と、レンズ駆動手段１３と、ピント面距離を表示する表示手段１９と、距離目盛表示の表示端選択手段２０と、表示端に応じて、距離目盛の表示個数或いは各距離目盛の間隔を変更する表示制御手段２３ｂと、選択された距離目盛表示の表示端に応じて、レンズ操作量検出手段２２の検出結果を基にフォーカスレンズ１６を駆動させる際のレンズ移動量を変更する操作敏感度制御手段２３ｃとでレンズ鏡筒２を構成する。【選択図】図１
2019113641.tif 000002
【特許請求の範囲】
【請求項１】
・撮影光学系と、
・該撮影光学系に含まれ、前記撮影光学系の焦点調節を行うフォーカスレンズと、
・該フォーカスレンズの光軸方向位置を検出するレンズ位置検出手段と、
・該レンズ位置検出手段の結果からピント面距離を算出するピント面距離算出手段と、
・前記フォーカスレンズを操作するレンズ操作手段と、
・前記レンズ操作手段の操作量を検出する操作量検出手段と、
・前記操作量検出手段の結果に応じて前記フォーカスレンズを駆動するレンズ駆動手段と、
・複数の距離目盛を列状に表示すると共に、前記ピント面距離算出手段により算出されたピント面距離を表示する表示手段と、
・距離目盛表示の表示端を選択する表示端選択手段と、
・該表示端選択手段により選択された距離目盛表示の表示端に応じて、前記表示手段上に表示する距離目盛の表示個数或いは各距離目盛の間隔を変更する表示制御手段と、
・前記表示端選択手段により選択された距離目盛表示の表示端に応じて、前記レンズ操作量検出手段の検出結果を基に前記フォーカスレンズを駆動させる際のレンズ移動量を変更する操作敏感度制御手段とで構成されたレンズ鏡筒。
【請求項２】
・撮影光学系と、
・該撮影光学系に含まれ、前記撮影光学系の焦点調節を行うフォーカスレンズと、
・該フォーカスレンズの光軸方向位置を検出するレンズ位置検出手段と、
・該レンズ位置検出手段の結果からピント面距離を算出するピント面距離算出手段と、
・前記フォーカスレンズを操作するレンズ操作手段と、
・前記レンズ操作手段の操作量を検出する操作量検出手段と、
・前記操作量検出手段の結果に応じて前記フォーカスレンズを駆動するレンズ駆動手段と、
・複数の距離目盛を列状に表示すると共に、前記ピント面距離算出手段により算出されたピント面距離を表示する表示手段と、
・距離目盛表示の表示端を選択する表示端選択手段と、
・該表示端選択手段により選択された距離目盛表示の表示端に応じて、前記表示手段上に表示する距離目盛の表示個数或いは各距離目盛の間隔を変更する表示制御手段と、
・前記表示端選択手段により選択された距離目盛表示の表示端に応じて、前記レンズ操作量検出手段の検出結果を基に前記フォーカスレンズを駆動させる際のレンズ移動量を変更する操作敏感度制御手段とで構成されたカメラシステム。
【請求項３】
・前記フォーカスレンズの位置が、前記表示端選択手段により選択された２つの距離目盛表示の表示端に相当するフォーカスレンズ位置に挟まれた範囲を超えるように操作されると、前記レンズ駆動手段の動作を停止させるレンズ制御手段を持つ、請求項１または２に記載のカメラシステム。
【請求項４】
・前記表示手段に表示する距離目盛表示上に、前記フォーカスレンズが停止可能な位置に相当するピント面距離を表示可能な表示制御手段を持つ、請求項１記載のレンズ鏡筒、または請求項２に記載のカメラシステム。
【請求項５】
・前記表示端選択手段は、被写体までの距離を測る測距手段であることを特徴とする、請求項１または２に記載のカメラシステム。
【発明の詳細な説明】
【技術分野】
【０００１】
本発明はデジタルカメラやデジタルビデオカメラ等における、ピント面距離情報の表示方法に関するものである。
【背景技術】
【０００２】
従来、動画撮影の場面では、ピント合わせの速度を自在に調節する目的から手動で合焦レンズを繰り出して（以下、マニュアルフォーカスと呼ぶこととする）撮影被写体に焦点を合わせる撮影手法がある。このような場面においてユーザは、レンズ鏡筒やカメラに表示される「ピント面距離」（レンズによって予定結像面と共役となる面までのカメラからの距離をピント面距離と呼ぶこととする）の表示を参考に、マニュアルフォーカス操作を行う。なお以下、ピント面距離を示す表示方法の一つである、どの距離にピント面距離があるのかを示す数値目盛を「距離目盛」と呼び、距離目盛を表す数値を列状に並べて、その一カ所を指し示すことで現在のピント面距離を表示する方法を距離目盛表示と呼ぶこととする。
【０００３】
特に、シネマや放送用の撮影においては、ユーザがあらかじめ所望のピント面距離をレンズ鏡筒表面や既存の距離目盛上に手書き等で目印を書き込み、それを手掛かりにピント操作を行う場合がある。例えば、特許文献１では上記のような課題に鑑み、フォーカスリングを表面に目盛りのない無地のリングで構成し、ユーザが所望のピント面距離を書き込み、距離目盛表示を作成することを可能にしたレンズ鏡筒の技術の開示がある。
【０００４】
また近年、カメラシステムにおいて、フォーカスレンズ位置から、ピントの合うピント面距離を算出し、表示手段を用いて表示する方法が知られている。例えば特許文献２では、カメラシステムにおいて、ピント面距離を算出する手段をもち、焦点調節を行うための距離目盛表示に用いる距離目盛の最大値を、画面内の被写体のうち、最もカメラから離れた被写体のカメラからの距離とする技術の開示がある。
【先行技術文献】
【特許文献】
【０００５】
【特許文献１】特開２００３−６６３０４号公報
【特許文献２】特開２０１２−２３０２５８号公報
【発明の概要】
【発明が解決しようとする課題】
【０００６】
しかしながら、特許文献1のようにユーザが距離目盛表示を作成する方法では、ユーザが所望のピント面距離を撮影の度に書き込む必要がある。また、特許文献２のような距離目盛表示では、表示範囲が、画面内の被写体の最遠距離によって決まるため、ユーザの所望のものと異なり、マニュアルフォーカスの操作性が低くなるという問題がある。
【０００７】
本発明は上記課題に鑑みてなされたものであり、ユーザが所望の距離目盛表示の表示範囲を容易に設定し、マニュアルフォーカスの操作性を向上させることを目的とする。
【課題を解決するための手段】
【０００８】
上記目的を達成する為の、本発明のレンズ鏡筒は以下の構成を備える。
すなわち、
・撮影光学系と、
・該撮影光学系に含まれ、前記撮影光学系の焦点調節を行うフォーカスレンズと、
・該フォーカスレンズの光軸方向位置を検出するレンズ位置検出手段と、
・該レンズ位置検出手段の結果からピント面距離を算出するピント面距離算出手段と、
・前記フォーカスレンズを操作するレンズ操作手段と、
・前記レンズ操作手段の操作量を検出する操作量検出手段と、
・前記操作量検出手段の結果に応じて前記フォーカスレンズを駆動するレンズ駆動手段と、
・複数の距離目盛を列状に表示すると共に、前記ピント面距離算出手段により算出されたピント面距離を表示する表示手段と、
・距離目盛表示の表示端を選択する表示端選択手段と、
・前記表示端選択手段により選択された距離目盛表示の表示端に応じて、前記表示手段上に表示する距離目盛の表示個数或いは各距離目盛の間隔を変更する表示制御手段と、
・前記表示端選択手段により選択された距離目盛表示の表示端に応じて、前記レンズ操作量検出手段の検出結果を基に前記フォーカスレンズを駆動させる際のレンズ移動量を変更する操作敏感度制御手段とでレンズ鏡筒を構成する。
【発明の効果】
【０００９】
本発明によれば、ユーザが所望の距離目盛表示の表示範囲を容易に設定することが可能となり、マニュアルフォーカスの操作性が向上する。
【図面の簡単な説明】
【００１０】
【図１】本発明の第１実施形態システム図
【図２】本発明の第１実施形態の表示手段の説明図とフォーカスレンズ位置とピント面距離の関係を示すグラフ
【図３】本発明の第１実施形態の表示方法を説明する図
【図４】本発明の第１実施形態の表示更新のメインのフローチャート
【図５】本発明の第１実施形態の表示更新のサブのフローチャート
【図６】本発明の第２実施形態システム図
【図７】本発明の第２実施形態の表示方法を説明する図
【図８】本発明の第２実施形態の表示更新のサブのフローチャート
【発明を実施するための形態】
【００１１】
［実施例１］
以下に、本発明の好ましい実施の形態を、添付の図面に基づいて詳細に説明する。図１〜５は本発明の第１の実施形態を説明する図であり、図１は本発明の第1の実施形態にかかわるカメラシステムの中央断面図及び電気的構成を示すブロック図である。
【００１２】
図１（ａ）は本実施例におけるカメラシステムの中央断面図である。カメラシステムは、本発明の対象であるカメラ１とレンズ鏡筒２からなる。なお、本実施例では、カメラ１とレンズ鏡筒２が分離する形態をとって説明するが、カメラ１とレンズ鏡筒２が一体となっているカメラシステムでも構わない。
【００１３】
図１（ａ）において、１はカメラを、２はカメラ１に装着するレンズ鏡筒を、３は撮影光学系を、４は撮影光学系の光軸を、６は撮像素子を、９はカメラ１に設けられた背面表示装置をそれぞれ示している。また、１１はカメラ１とレンズ鏡筒２の電気接点を、１２はレンズ鏡筒２に設けられたレンズシステム制御回路を、１４はクイックリターン機構（クイックリターン機構１４は光路分割を行うハーフミラーを含む）を、１５は測距手段をそれぞれ示している。
【００１４】
１６は撮影光学系３の中で焦点調節に用いられるフォーカスレンズレンズ、１７はフォーカスレンズ１６の光軸方向の位置を検出するレンズ位置検出手段を示す。１８はレンズ鏡筒２に設けられたレンズ操作手段を、１９はレンズ鏡筒２に設けられたピント面距離を表示する表示手段を示す。また、２０は表示手段１９上に表示されている距離目盛表示の中から、距離目盛表示の表示端を選択する表示端選択手段を、２１は表示端選択手段２０により選択された距離目盛表示の表示端を記憶するメモリ手段を示す。
【００１５】
図１（ｂ）は本実施例におけるカメラシステムの電気的構成を示したブロック図である。図１（ｂ）において、５はカメラシステム制御部を、７は画像処理部を、８はメモリ手段を、１０はカメラ１に対する操作を検出する操作検出部を示している。２２はレンズ操作手段１８の操作量を検知する操作量検出部を、２３はレンズシステム制御部をそれぞれ示している。レンズシステム制御部２３は、ピント面距離を算出するピント面距離算出手段２３ａと、距離目盛の表示個数及び各距離目盛の表示間隔を変更する表示制御手段２３ｂと、レンズ操作量検出手段２２の敏感度を変更する操作敏感度制御手段２３ｃを含む。２４は、表示端選択手段２０により選択した距離目盛表示の表示端を表示に反映させるか否かを切り替える表示切り替え手段である。
【００１６】
図１において、カメラ１およびレンズ鏡筒２からなるカメラシステムは、撮像系、画像処理系、記録再生系、制御系を有している。撮像系は、撮影光学系３ 、撮像素子６、クイックリターン機構１４を含み、画像処理系は、画像処理部７を含む。また、記録再生系は、メモリ手段８、表示手段９を含み、制御系は、カメラシステム制御部５、操作検出部１０、レンズシステム制御部２３、レンズ駆動手段１３、および測距手段１５を含む。レンズ駆動手段１３は、焦点レンズ、ブレ補正レンズ、絞りなどを駆動することができる。
【００１７】
撮像系は、物体からの光を、撮影光学系３を介して撮像素子６の撮像面に結像する光学処理を行う。撮像処理を行う場合、ピント調節は測距手段１５の信号に基づいて撮影光学系３の状態をレンズ駆動部１３によって変化させることで適当なピント位置を調整する（いわゆるＡＦ動作）。マニュアルフォーカスの場合には、レンズ鏡筒２に設けられたレンズ操作手段１８の操作量を操作量検出手段２２が検知し、操作量に応じてレンズ駆動手段１３を介してフォーカスレンズ１６を駆動する。
【００１８】
その際に、レンズ位置検知手段１７の信号などを参照して、レンズ鏡筒２のピントが合っている面までの距離であるピント面距離を表示手段１９に提示する。この表示動作は本発明の要部なので後程詳しく説明する。また撮像素子６または不図示の測光センサの信号に基づいて露光状態の設定を行う（いわゆるＡＥ動作）。ここでいう露光状態とは、撮像素子６への露光時間、撮影光学系３の絞り値、撮像素子６の信号の増幅率などのことである。
【００１９】
画像処理部７は、内部にＡ／Ｄ変換器、ホワイトバランス回路、ガンマ補正回路、補間演算回路等を有しており、記録用の画像を生成することができる。メモリ手段８は実際の記憶部に加えて記録に必要な処理回路を備えている。メモリ手段は、記録部へ出力を行うとともに、背面表示手段９に出力する像を生成、保存する。また、メモリ手段８ は、予め定められた方法を用いて画像、動画、音声などの圧縮を行う。また、図１（ｂ）においては、メモリ手段８は概念的に書かれており、外部から挿入される記憶メディアに相当するように見えるが、カメラ１が備える、揮発／不揮発メモリを含んでいる。
【００２０】
カメラシステム制御回路５は撮像の際のタイミング信号などを生成して出力する。外部操作に応動して撮像系、画像処理系、記録再生系をそれぞれ制御する。例えば、不図示のシャッターレリーズ釦の押下を操作検出回路１０が検出して、撮像素子６の駆動、画像処理部７の動作、メモリ手段８の圧縮処理などを制御する。さらに背面表示手段９によって液晶モニタ等に情報表示を行う情報表示装置の各セグメントの状態を制御する。
【００２１】
制御系の光学系の調整動作について説明する。カメラシステム制御部５には画像処理部７および測距手段１５が接続されており、撮像素子６および測距手段１５からの信号等を元に適切な焦点位置、絞り位置を求める。カメラシステム制御部５は、電気接点１１を介してレンズシステム制御部２３に指令を出し、レンズシステム制御部２３はレンズ駆動手段１３を適切に制御する。さらにレンズシステム制御部２３には不図示の手ぶれ検出センサが接続されており、手ぶれ補正を行うモードにおいては、手ぶれ検出センサの信号を元にレンズ駆動手段１３を介してブレ補正レンズを適切に制御する。
【００２２】
本発明では、カメラ１に搭載された不図示の光学ファインダを介して被写体観察を行うことや、撮像素子６で電子画像を撮影しながら表示手段９にファインダ表示を行う電子ビューファインダでの被写体観察を行うこと（いわゆるライブビュー撮影）が可能な構成となっている。またマニュアルフォーカスにおいては、レンズ鏡筒２に設けられた表示手段１９を観察しながらピント調整動作を行うことを想定している。
【００２３】
次に、図２を用いて本発明の表示手段１９の具体的な表示内容及び、フォーカスレンズ位置とレンズ鏡筒２のピント面距離の関係について述べる。図２（ａ）はカメラシステムを上から見た図である。図２（ｂ）はフォーカスレンズ位置とレンズ鏡筒２のピント面距離の関係を示すグラフである。
【００２４】
図２では、図１と同じものには同じ番号を付した。図２（ａ）において２５は距離目盛を、２６は固定指標を示しており、固定指標２６は表示手段１９に提示された、現在のレンズ鏡筒２の光学状態におけるピント面距離を読み取る位置を指示している。つまり図２（ａ）の例では、固定指標２６と対向している３．０（ここでは単位はｍとする）にレンズ鏡筒２のピント面があることが提示されている。表示手段１９にレンズ鏡筒２のピント面の位置を提示することでマニュアルフォーカス調整を容易に行うことが可能となる。
【００２５】
図２（ｂ）を用いて表示手段１９に提示するピント面距離の算出方法について説明する。図２（ｂ）の横軸はフォーカスレンズ位置、縦軸はレンズ鏡筒２のピント面距離を示しており、２７で示した太い実線は焦点距離が５０ｍｍの場合のフォーカスレンズ位置とピント面距離の関係を示した曲線である。レンズシステム制御部２３上のピント面距離算出手段２３ａにおいて、ピント面距離を算出する際には、レンズ位置検出手段１７により得られた、フォーカスレンズ位置を用いて、図２（ｂ）の曲線２７に沿ってピント面距離を算出する。なお、ピント面距離の算出は、撮影条件におけるフォーカスレンズ位置とピント面距離を対応させるテーブルを記憶しておき、該テーブルを参照することで求めてもよい。
【００２６】
本発明はユーザが所望の距離目盛表示の表示範囲を容易に設定し、マニュアルフォーカスの操作性を向上させることが目的である。そのためのカメラ及び距離目盛表示の動作について図３を用いて、ユーザの作業に沿い説明していく。図３は表示手段１９に表示されるピント面距離情報を示しており、図３（ａ）は、距離目盛表示の一例を示している。
【００２７】
図３（ａ）において、２５ａ〜２５ｆは各ピント面距離を示す距離目盛を示しており、３０は距離目盛列を示している。距離目盛２５ａ〜２５ｆはそれぞれ、２５ａは０．５ｍ、２５ｂは１．０ｍ、２５ｃは１．５ｍ、２５ｄは３．０ｍ、２５ｅは５．０ｍ、２５ｆは無限遠の距離目盛を示している。距離目盛表示は距離目盛列３０のような複数の距離目盛によって構成される目盛列と、固定指標２６を用いて現在のピント面距離を提示する表示方法である。
【００２８】
ここでは、図３（ａ）に示した距離目盛表示を用いて、ピント面距離がおよそ２〜４ｍの範囲で距離目盛表示を行う場合を例にとり、ユーザが距離目盛表示の表示範囲を設定する手順を説明していく。これは、例えば被写体となる人物が、光軸方向にカメラから２〜４ｍほど離れた範囲で動きまわるようなシーンにおいて、人物の動きに合わせてピント面も移動させるような場合に使用する距離目盛表示を設定することを想定している。
【００２９】
図３（ｂ）は表示範囲を変更する前の状態の距離目盛表示を示しており、図３（ｂ）中の３１は距離目盛列３０における２ｍのピント面距離表示位置を、３２は距離目盛列３０における４ｍのピント面距離表示位置を示している。表示位置３１及び３２は実際には表示手段１９に表示されないが、ここでは説明のため、矢印を用いて示している。また、３３、３４は表示手段１９の表示可能な領域の端を示しており、それぞれ、３４はピント面距離至近側、３４はピント面距離無限側の表示領域端を示している。
【００３０】
図３（ｃ）は、ピント面距離がおよそ２ｍとなっている場合の表示手段１９上に提示されるピント面距離表示を、図３（ｄ）は、ピント面距離がおよそ４ｍとなっている場合の表示手段１９上に提示されるピント面距離表示を示している。ユーザは、まず表示手段１９が図３（ｃ）のような状態になったときに、図１に示した表示端選択手段２０を操作し、距離目盛表示の表示端の一方を選択する。
【００３１】
表示手段１９を図３（ｃ）のような表示にする方法としては、ユーザが所望のピント面距離に被写体を置き、上述のオートフォーカス機能を用いて撮影光学系３のピント面を移動させて実現する方法が考えられる。その他にも、上述したマニュアルフォーカスにより撮影光学系３のピント面を所望の位置に移動させて実現するといった方法が挙げられる。
【００３２】
次に、同様の方法で表示手段１９が図３（ｄ）のような状態になったときに、表示端選択手段２０を操作し、距離目盛表示の表示端の他方を選択する。このように距離目盛表示端を２か所選択することにより、図３（ｅ）に示したように、表示端選択手段２０によって選択されたピント面距離が表示手段１９の表示端となるように、距離目盛列３０が表示される。以上のようにして、ユーザが所望の距離目盛表示の表示範囲を設定する。
【００３３】
なお、表示端選択手段は図１、図２（ａ）の２０のようなスイッチを用いる他に、請求項４に示したように、カメラから被写体までの距離を測る測距手段を用いてもよい。そのような場合は、上述のオートフォーカス機能のような測距手段を用いて撮影画角内のピントの合う被写体までの距離を複数算出し、その結果を表示端として用いて距離目盛表示の表示範囲を設定する。
【００３４】
図３（ｅ）のような状態から、レンズ操作手段２０を用いて、フォーカスレンズ１６を操作した場合の、距離目盛表示の変化を図３（ｆ）、（ｇ）に示した。図３（ｅ）の状態から、レンズ操作手段１８を∞側へ操作すると、距離目盛列３０は矢印３５の方向へ移動し、レンズ操作手段１８を至近側へ操作すると、距離目盛列３０は矢印３６の方向へ移動する。その際、表示端選択手段２０により設定した距離目盛表示の表示粗さを維持しながら各距離目盛が表示されるため、それぞれ図３（ｆ）、（ｇ）のような距離目盛表示となる。
【００３５】
図３（ｈ）は、距離目盛表示上にフォーカスレンズが停止できる位置を表示させた状態を示している。３７に示した目盛は、距離目盛列３０上に表示された、フォーカスレンズが停止可能な位置に相当するピント面距離を示している。上述のように距離目盛表示の表示範囲を設定する際、表示範囲を狭く（距離目盛表示を拡大）した場合に、フォーカスレンズが停止可能な分解能を超えて、距離目盛が拡大表示されてしまうことが考えられる。つまり、距離目盛を拡大表示しすぎてしまった場合、設定した距離目盛表示の範囲内にフォーカスレンズが停止できず、現在のピント面距離を固定指標２６が指し示すことができないため、ピント面距離を表示できなくなると考えられる。
【００３６】
そこで、フォーカスレンズ位置が停止可能な位置に相当する距離目盛上の位置を表示することにより、ユーザが合わせられるピント面を提示することが可能となり、距離目盛表示の表示範囲をユーザが設定する際の目安とすることができる。なお、停止可能なフォーカスレンズ位置の表示は距離目盛を拡大表示していった場合に自動で切り替わるようにしても、表示のＯＮ／ＯＦＦをユーザが設定可能にしてもよい。
【００３７】
またここで、距離目盛表示の表示範囲に応じて、レンズ操作手段１８の操作敏感度（レンズ操作手段１８の操作量当たりのフォーカスレンズ１６の移動量を操作敏感度と呼ぶこととする）を変更することについて説明する。上述のように距離目盛表示の表示範囲を変更した際に、レンズ操作手段１８の操作敏感度が併せて変更されない場合、表示手段１９上の距離目盛列の動きと、レンズ操作手段１８の動きが対応せず、操作しにくいことが考えられる。
【００３８】
例えば、図３（ｅ）のように距離目盛表示の表示範囲を拡大した場合に、操作敏感度が図３（ｂ）の状態と同じだとすると、操作手段１８の操作量に対して、距離目盛列が大きく動くこととなる。このような状態では、距離目盛表示の表示範囲を拡大しても、ピント面を細かく動かすことができず、距離目盛表示の表示範囲を変更するメリットが活かしきれない場合がある。そのため、距離目盛表示の表示範囲の変更に併せて、操作敏感度制御手段２３ｃにおいて、レンズ操作手段１８の操作敏感度を変更することにより、ピント面距離表示とレンズ操作手段１８の動きの対応がとれるようになる。
【００３９】
これにより、距離目盛表示の表示範囲を図３（ｅ）のように拡大した場合は、ピント面の微調節を行うことが可能となり、それとは反対に、ピント面距離目盛の表示範囲を縮小した場合はピント面の早送りが可能となる。
【００４０】
次に、図４〜５を用いて、本発明における距離目盛表示の表示動作について説明する。図４は距離目盛表示の表示動作を行うメインのフローチャートを、図５はサブのフローチャートをそれぞれ表しており、図５は特に距離目盛表示の表示更新のフローを表している。また、図４、図５は距離目盛表示の表示動作に関するフローであり、これらとは別に、フォーカスレンズ１６をレンズ駆動手段１３により駆動するフローが存在する。まず、図４のメインのフローについて説明する。
【００４１】
このフローはカメラシステムに電源が投入される度にスタートする。ステップ＃４０００では、レンズシステム制御部２３は、表示端選択手段２０が操作されたか否かを判定する。その結果、表示端選択手段２０が操作された場合はステップ＃４００１へ進み、操作されていない場合はステップ＃４００２へ進む。ステップ＃４００１では、レンズシステム制御部２３は、メモリ手段２１と通信を行い、現在のピント面距離及び、フォーカスレンズ位置を書き込み、ステップ＃４００２へ進む。
【００４２】
ステップ＃４００２では、レンズシステム制御部２３はメモリ手段２１と通信を行い、表示端が２点選択されているか否かを判定する。表示端が２点選択されている場合はステップ＃４００５へ進み、選択されていない場合はステップ＃４００３へ進む。ここではまず、表示端が２点選択されていない場合（距離目盛表示の表示範囲が変更されない場合）のフローについて説明する。
【００４３】
ステップ＃４００３では、レンズシステム制御部２３は距離目盛表示の表示範囲をデフォルト値に設定し、ステップ＃４００４へ進む。ステップ＃４００４では、レンズシステム制御部２３はフォーカスレンズの操作敏感度をデフォルト値に設定し、ステップ＃４００８へ進む。
【００４４】
次に、ステップ＃４００２において、表示端が２点選択されていた場合について説明する。ステップ＃４００５では、レンズシステム制御部２３は表示切り替え手段２４と通信を行い、選択した表示端を反映させるか否かを判定する。その結果、反映する場合はステップ＃４００６へ進み、反映されない場合はステップ＃４００３へと進みピント面距離目盛の表示範囲が変更されないフローとなる。なおここで、表示端を反映させるか否かは、表示端切り替え手段２４の操作により、ユーザが選択可能である。
【００４５】
ステップ＃４００６では、レンズシステム制御部２３は、メモリ手段２１と通信を行い、ピント面距離目盛の表示範囲を、ステップ＃４００１で選択した２つの表示端の範囲に設定し、ステップ＃４００７へ進む。ステップ＃４００７では、レンズシステム制御部２３はステップ＃４００６において変更した距離目盛表示の表示範囲に合わせて、フォーカスレンズの操作敏感度を変更し、ステップ＃４００８へ進む。
【００４６】
ステップ＃４００８は、距離目盛表示の更新を行う関数Ａを表しており、関数Ａ内の処理については、図５で詳細を説明する。ステップ＃４００８を通過すると、ステップ＃４００９へ進む。ステップ＃４００９ではカメラシステムの電源が切れているか否かを判定し、電源が切れていればフローを終了し、切れていなければステップ＃４０００へ戻り、電源が切れるまで上記フローを繰り返す。
【００４７】
次に、関数Ａ（ステップ＃４００８）内の処理について図５を用いて説明する。このフローは、表示手段１９に表示される距離目盛表示を更新するたびにスタートする。なお、ここで言う距離目盛表示の更新は、表示するピント面距離情報の内容を更新するという意味であり、それとは別に、表示手段１９はあるリフレッシュレートで常に更新されていてもよい。ステップ＃５０００では、レンズシステム制御部２３はレンズ位置検出手段１７と通信を行い、現在のフォーカスレンズ１６の光軸方向の位置を取得し、ステップ＃５００１へ進む。
【００４８】
ステップ＃５００１では、レンズシステム制御部２３はステップ＃４００３もしくはステップ＃４００６において設定した、距離目盛表示の表示範囲を取得し、ステップ＃５００２へ進む。
【００４９】
ステップ＃５００２では、レンズシステム制御部２３はステップ＃５０００において得られたフォーカスレンズ位置及び、撮影光学系３の光学状態から、ピント面距離を算出し、ステップ＃５００３へ進む。ステップ＃５００３では、レンズシステム制御部２３はステップ＃５００１で得られた距離目盛表示の表示範囲を基に、表示手段１９へ表示する距離目盛情報を生成し、表示手段１９の表示を更新して、フローを終了する。
【００５０】
以上説明したように、本発明においては、
・撮影光学系３と、
・該撮影光学系３に含まれ、前記撮影光学系の焦点調節を行うフォーカスレンズ１６と、
・該フォーカスレンズ１６の光軸方向位置を検出するレンズ位置検出手段１７と、
・該レンズ位置検出手段１７の結果からピント面距離を算出するピント面距離算出手段２３ａと、
・前記フォーカスレンズ１６を操作するレンズ操作手段１８と、
・前記レンズ操作手段１８の操作量を検出する操作量検出手段２２と、
・前記操作量検出手段２２の結果に応じて前記フォーカスレンズ１６を駆動するレンズ駆動手段１３と、
・複数の距離目盛を列状に表示すると共に、前記ピント面距離算出手段２３ａにより算出されたピント面距離を表示する表示手段１９と、
・距離目盛表示の表示端を選択する表示端選択手段２０と、
・該表示端選択手段２０により選択された距離目盛表示の表示端に応じて、前記表示手段１９上に表示する距離目盛の表示個数或いは各距離目盛の間隔を変更する表示制御手段２３ｂと、
・前記表示端選択手段２０により選択された距離目盛表示の表示端に応じて、前記レンズ操作量検出手段２２の検出結果を基に前記フォーカスレンズを駆動させる際のレンズ移動量を変更する操作敏感度制御手段２３ｃと
でレンズ鏡筒を構成する。
【００５１】
これにより、ユーザが所望の距離目盛表示の表示範囲を容易に設定することが可能となり、マニュアルフォーカスの操作性が向上した。
【００５２】
［実施例２］
図６〜８は本発明の第２の実施形態を説明する図であり、図６は本発明の第２の実施形態にかかわるカメラシステムの中央断面図及び電気的構成を示すブロック図である。図６において図１と同じ機能を有するものには同じ番号を付した。図１と異なる構成についてのみ詳述する。実施例１の図１と異なる点としては、図６（ｂ）において、フォーカスレンズ１６の光軸方向の動作範囲を設定するレンズ動作端位置選択手段６０が存在するという点である。第１の実施例では、選択した距離目盛表示の表示端に合わせて、表示手段１９に表示する距離目盛表示の表示範囲を変更したが、第２の実施例ではさらに、設定した距離目盛表示の表示端に合わせて、フォーカスレンズ１６の駆動範囲も変更する。
【００５３】
レンズ動作端位置選択手段６０は、表示端選択手段２０と同期し、距離目盛表示の表示端に合わせて設定してもよいし、それとは別にユーザが個別に設定してもよい。以上のようにして、フォーカスレンズ１６の駆動範囲を設定することにより、意図せずピントを大きく外してしまったり、所望の方向とは逆方向にピント面を操作してしまったりという操作ミスが起こりにくくなる。
【００５４】
図７は本発明の第２の実施例において、表示手段１９に表示されるピント面距離情報を示しており、図７（ａ）は、距離目盛表示の一例を示している。図７において図３と同じ機能を有するものには同じ番号を付した。本実施例では、ユーザが図７（ｂ）のように距離目盛表示の表示範囲を変更した際に、マニュアルフォーカスを行い、レンズ操作手段１８を操作すると、図７（ｃ）や図７（ｄ）のように表示手段１９上で距離目盛列３０が移動する。
【００５５】
７０、７２はそれぞれ距離目盛列３０の移動方向を示しており、図７（ｂ）の状態から、レンズ操作手段１８を∞側へ操作すると、距離目盛列３０は矢印７０の方向へ移動し、図７（ｃ）のような距離目盛表示となる。また、レンズ操作手段１８を至近側へ操作すると、距離目盛列３０は矢印７２の方向へ移動し、図７（ｄ）のような距離目盛表示となる。
【００５６】
７１、７３はそれぞれ、表示端選択手段２０を用いて設定した距離目盛表示の表示端を表示手段１９上に示しており、距離目盛列３０と共に、表示手段１９上を移動する。本実施例では表示手段１９上で７１、７３に示した位置に相当する、フォーカスレンズ１６の光軸方向の位置までレンズ操作手段１８を用いてフォーカスレンズ１６を操作すると、フォーカスレンズ１６の駆動が止まり、併せて距離目盛列３０の移動も停止する。なお、本実施例においては距離目盛７１よりも無限側及び、距離目盛７３よりも至近側の距離目盛は表示されない。
【００５７】
図８は本発明の第２の実施例において、距離目盛表示の表示動作を示したフローチャートであり、図４に示したメインのフローチャートにおける、関数Ａ（ステップ＃４００８）の処理に相当する。つまり、図４のステップ＃４００８において、フォーカスレンズ１６の動作範囲が設定されていた場合に、図８のフローは開始される。図４のメインのフローについては実施例１で述べたので、説明を省略する。
【００５８】
ステップ＃８０００では、レンズシステム制御部２３はレンズ動作端選択手段６０において、フォーカスレンズ１６の動作端が２点選択されているか否かを判定し、選択されている場合はステップ＃８００１へ、選択されていない場合はステップ＃８００３へ進む。ステップ＃８００１では、レンズシステム制御部２３はフォーカスレンズ位置の制御指令値が、レンズ動作端選択手段６０で設定した動作端を超えているか否かを判定し、超えている場合はステップ＃８００２へ、超えていない場合はステップ＃８００３へ進む。
【００５９】
ステップ＃８００２では、レンズシステム制御部２３は、レンズ動作端選択手段６０において選択された動作端でフォーカスレンズ１６の駆動を停止させるようにレンズ駆動手段１３を制御し、ステップ＃８００３へ進む。ステップ＃８００３では、レンズシステム制御部２３はレンズ位置検出手段１７と通信を行い、現在のフォーカスレンズ１６の光軸方向の位置を取得し、ステップ＃８００４へ進む。
【００６０】
ステップ＃８００４では、レンズシステム制御部２３はステップ＃４００３もしくはステップ＃４００６において決定した、距離目盛表示の表示範囲を取得し、ステップ＃８００５へ進む。
【００６１】
ステップ＃８００５では、レンズシステム制御部２３はステップ＃８００３において得られたフォーカスレンズ位置及び、撮影光学系３の光学状態から、ピント面距離を算出し、ステップ＃８００５へ進む。ステップ＃８００５では、レンズシステム制御部２３はステップ＃８００４で得られた距離目盛表示の表示範囲を基に、表示手段１９へ表示する距離目盛情報を生成し、表示手段１９の表示を更新して、フローを終了する。
【００６２】
以上説明したように、本発明においては、
・撮影光学系３と、
・該撮影光学系３に含まれ、前記撮影光学系の焦点調節を行うフォーカスレンズ１６と、
・該フォーカスレンズ１６の光軸方向位置を検出するレンズ位置検出手段１７と、
・該レンズ位置検出手段１７の結果からピント面距離を算出するピント面距離算出手段２３ａと、
・前記フォーカスレンズ１６を操作するレンズ操作手段１８と、
・前記レンズ操作手段１８の操作量を検出する操作量検出手段２２と、
・前記操作量検出手段２２の結果に応じて前記フォーカスレンズ１６を駆動するレンズ駆動手段１３と、
・複数の距離目盛を列状に表示すると共に、前記ピント面距離算出手段２３ａにより算出されたピント面距離を表示する表示手段１９と、
・距離目盛表示の表示端を選択する表示端選択手段２０と、
・前記表示端選択手段２０により選択された距離目盛表示の表示端に応じて、前記表示手段１９上に表示する距離目盛の表示個数或いは各距離目盛の間隔を変更する表示制御手段２３ｂと、
・前記表示端選択手段２０により選択された距離目盛表示の表示端に応じて、前記レンズ操作量検出手段２２の検出結果を基に前記フォーカスレンズを駆動させる際のレンズ移動量を変更する操作敏感度制御手段２３ｃと
でレンズ鏡筒を構成し、
・前記フォーカスレンズ１６が、前記表示端選択手段２０により選択された２つの距離目盛表示の表示端に相当するフォーカスレンズ位置に挟まれた範囲を超えるように操作されると、レンズ制御手段２３は上述の距離目盛表示の表示端に相当するフォーカスレンズ位置でフォーカスレンズ１６が停止するように制御する。
【００６３】
これにより、ユーザが所望のピント面距離目盛の表示範囲を容易に設定することが可能となり、マニュアルフォーカスの操作性が向上した。さらに、意図せずピントを大きく外してしまったり、所望の方向とは逆方向にピント面を操作してしまったりという操作ミスが起こりにくくすることを可能にした。
【符号の説明】
【００６４】
１            カメラ
２            レンズ鏡筒
３            撮影光学系
４            撮影光学系の光軸
５            カメラシステム制御部
６            撮像素子
１１          電気接点
１３          レンズ駆動手段
１６          フォーカスレンズ
１７          レンズ位置検出手段
１８          レンズ操作手段
１９          表示手段
２０          表示端選択手段
２１          メモリ手段
２２          操作量検出手段
２３          レンズシステム制御部
２４          ピント面距離目盛
２５          固定指標
３０          ピント面距離目盛列
【図１】
2019113641.tif 000003
【図２】
2019113641.tif 000004
【図３】
2019113641.tif 000005
【図４】
2019113641.tif 000006
【図５】
2019113641.tif 000007
【図６】
2019113641.tif 000008
【図７】
2019113641.tif 000009
【図８】
2019113641.tif 000010